(57)【特許請求の範囲】
【請求項１】
中軸４と共に回転可能でありかつ外周にガタツキ防止手段２３が設けられた嵌合筒５と、この嵌合筒内にカシメにより固設されて共にベアリング３によって中軸に関して回転する後カム筒２と、この後カム筒と係合しかつ前部にスリーブ受けに対して回り止め１ｂを有しかつ中軸に関して摺動自在の前カム筒１と、上記中軸にカシメにより固設されたスリーブ受け１４と、このスリーブ受けと前カム筒との間に設けられて前カム筒を後方に付勢する戻しバネ１５と、上記中軸および嵌合筒の内部に摺動自在に設けられたレフィール６と、このレフィールの先部に固設されかつフランジ１０ａを有し、かつ前カム筒の前進・当接によってこのフランジを介して押されて前進されるチャック継ぎ手１０と、このチャック継ぎ手のフランジとスリーブ受けの内フランジ１４ａとの間に設けられたチャックスプリング１６と、上記チャック継ぎ手を介してレフィールに接続されたチャック１１と、このチャックに遊嵌されたチャックリング１２と、前端に内フランジを有しかつ上記チャックの後退を阻止するためにスリーブ受け内に設けられたスリーブ１３と、スリーブ受けに固設されかつその内周に上記チャックリングが当接する段部を有する口金１７とから構成されてなることを特徴とするレフィール装置。
【請求項２】
中軸４と共に回転可能でありかつ外周にガタツキ防止手段２３が設けられた嵌合筒５と、この嵌合筒内にカシメにより固設されて共にベアリング３によって中軸に関して回転する後カム筒２と、この後カム筒と係合しかつ前部にスリーブ受けに対して回り止め１ｂを有しかつ中軸に関して摺動自在の前カム筒１と、上記中軸にカシメにより固設されたスリーブ受け１４と、このスリーブ受けと前カム筒との間に設けられて前カム筒を後方に付勢する戻しバネ１５と、後部が上記前カム筒内に挿入・嵌合されて上記中軸と嵌合筒との内部を摺動自在に設けられたレフィール３５とから構成されてなることを特徴とするレフィール装置。
【請求項３】
前記ガタツキ防止手段がカシメによって嵌合筒の外周に形成された複数の突条である請求項１または２に記載のレフィール装置。
【請求項４】
前記レフィールの後端にノック手段を設けたことを特徴とする請求項１に記載のレフィール装置。
【請求項５】
前記中軸前方のスリーブ受けの外周に回り止め部材または回り止め部を設けたことを特徴とする請求項１または２に記載のレフィール装置。
【請求項６】
請求項１または２記載のレフィール装置を筆記具内部機構として軸筒内に組み込んだことを特徴とする筆記具。
【発明の詳細な説明】
【０００１】
【産業上の利用分野】
この発明は、シャ−プペンシル、ボールペン、サインペン等の筆記具の内部機構として用いられるレフィール装置及びその筆記具に関する。
【０００２】
【従来の技術】
従来、この種の装置としては、実公昭５１−１５５５４号及び同５１−１５５５５号の実用新案公報に記載された様な装置が提案されていた。例えば、図１３は実公昭５１−１５５５５号に記載されたノック式のシャープペンシルの一例を示す一部切り欠き縦断正面図であって、シャープペンシルの軸筒本体４１の先端部に着脱自在に螺着した端部筒４２に芯保護管４３を進退自在に装着し、芯保護管４３の一部外周に突部を形成し、前記端部筒４２内に該突部を遊嵌せしめる内径を有する内筒４４を固く嵌合し、この内筒４４の上端部に該芯保護管４３の外周の突部４５を掛止めする抜け止め用内突縁４６を設けてなるものである。このような装置は、いわゆる飛び込み式といわれ、軸筒本体４１の後端開口からレフィール等の内部機構を落とし込み、軸筒本体４１の先端開口から軸筒本体４１の下端に嵌装された筒４７を突出せしめてこの内部機構の突出した筒４７に形成された雄螺子部に端部筒４２の雌螺子部を螺合せしめて筆記具として組み立てられていた。
【０００３】
しかしながら、これらの従来装置は、内部機構が軸筒本体に組み立てられて初めて芯等の棒状物を繰り出す操作が可能であった。即ち、組み立て前には仮令操作のテストだけでも内部機構は、単独ではかかる操作が出来なかった。このため予め内部機構だけを作って、軸筒本体と後で別の場所で組み立てるような場合には、事前に内部機構だけで操作のテストが出来ないので極めて不都合であった。更に、かかるタイプの筆記具にあっては、構造的に十分でないため内部機構が軸筒本体との組込み後、ガタツキが生じていた。また、この様な内部機構を繰り出し筆記具として組み立てた場合には回り止めが十分でなく誤動作するおそれがあった。
【０００４】
【発明が解決しようとする課題】
そこでこの発明は、従来の装置の欠点を解消して内部機構のみで独立して操作を完全に行うことが可能であり、かつ軸筒本体との組込みが、構造的に十分で、組込み後にガタツキ等が生じないレフィール装置及びその筆記具を提供することを目的とする。
【０００５】
【課題を解決するための手段】
上記目的を達成するために、この発明によれば、中軸と共に回転可能でありかつ外周にガタツキ防止手段が設けられた嵌合筒と、この嵌合筒内にカシメにより固設されて共にベアリングによって中軸に関して回転する後カム筒と、この後カム筒と係合しかつ前部にスリーブ受けに対して回り止めを有しかつ中軸に関して摺動自在の前カム筒と、上記中軸にカシメにより固設されたスリーブ受けと、このスリーブ受けと前カム筒との間に設けられて前カム筒を後方に付勢する戻しバネと、上記中軸および嵌合筒の内部に摺動自在に設けられたレフィール６と、このレフィールの先部に固設されかつフランジを有し、かつ前カム筒の前進・当接によってこのフランジを介して押されて前進されるチャック継ぎ手と、このチャック継ぎ手のフランジとスリーブ受けの内フランジとの間に設けられたチャックスプリングと、上記チャック継ぎ手を介してレフィールに接続されたチャックと、このチャックに遊嵌されたチャックリングと、前端に内フランジを有しかつ上記チャックの後退を阻止するためにスリーブ受け内に設けられたスリーブと、スリーブ受けに固設されかつその内周に上記チャックリングが当接する段部を有する口金とから構成されてなるレフィール装置及びその筆記具が得られる。
【０００６】
さらに、この発明によれば、中軸と共に回転可能でありかつ外周にガタツキ防止手段が設けられた嵌合筒と、この嵌合筒内にカシメにより固設されて共にベアリングによって中軸に関して回転する後カム筒と、この後カム筒と係合しかつ前部にスリーブ受けに関して回り止めを有しかつ中軸に関して摺動自在の前カム筒と、上記中軸にカシメにより固設されたスリーブ受けと、このスリーブ受けと前カム筒との間に設けられて前カム筒を後方に付勢する戻しバネと、後部が上記前カム筒内に挿入・嵌合されて上記中軸と嵌合筒との内部を摺動自在に設けられたレフィールから構成されてなるレフィール装置及びその筆記具が得られる。
【０００７】
【作用】
後端ノック式及び／若しくは回転式の繰り出し筆記具の内部機構であるレフィール装置において、レフィールの後端に設けられたノック部材をノックするか又は前部の中軸を持って後部の嵌合筒を回転すると戻しバネの後方への付勢力に抗してレフィールが前進し、レフィール装置の先端に設けられた口金から芯等が突出されて筆記が可能となる。なお、このレフィール装置を適宜軸筒に組み込めば、回転式及び／若しくはノック式筆記具として使用することが可能である。
【０００８】
【実施例】
図１〜図５は、この発明によるシャープペンシル用のレフィール装置の実施例を示すものであって、前カム筒１と後カム筒２とから成るツインカム機構の外周には、ベアリング３を介して前方に中軸４及び後方に嵌合筒５がそれぞれカシメ部４ａ，５ａによって取り付けられている。上記ツインカム機構内には、嵌合筒５の後端から芯タンクであるレフィール６が挿入されている。なお、このレフィール６の後端にはジャケット７付の消しゴム８を受けるための消しゴム受け台９が圧入されている。また、レフィール６の先端にはチャック継手１０が圧入・固定されており、このチャック継手１０の先端にはチャック１１が取り付けられている。このチャック１１先端のチャック部１１ａの外側にはチャックリング１２が遊嵌されている。
【０００９】
更に、前カム筒１にはカム突起１ａが形成されており、このカム突起１ａと中軸４の内側に設けられてスリーブ１３を受けるためのスリーブ受け１４の後端との間には戻しバネ１５が巻装されている。また、チャック継ぎ手１０は、フランジ１０ａを備えており、このフランジ１０ａとスリーブ受け１４の内方に張出した鍔部１４ａとの間にはチャックスプリング１６が卷装されている。そして、スリーブ受け１４の先端には口金１７が螺着されており、この口金１７の後端のスリーブ１３とスリーブ受け１４の内方に張出した鍔部１３ａとの間には過大筆圧を吸収するためのクッションスプリング１８が巻装されている。更にスリーブ受け１４の外周にはゴム製の回り止め部材１９が嵌合されている。そして、口金１７内には先端パイプ２０を有しかつ傘型パッキン２１が内装されたスライダ２２が摺動自在に設けられている。
【００１０】
なお、符号２３はガタツキ防止のために帯び出しカシメによって嵌合筒５の周囲に複数本形成されたいわゆるカシメ部であり、かつ２４は嵌合筒５の後部に軸方向にカシメによって形成された複数の突条である。また、図２においてＸは固定部分を示し、Ｙは後述する図６及び図８のように軸筒本体にこのレフィール装置をセットした場合の回転部分を示す。更に、Ｚf 及びＺb は共に図７及び図８のように軸筒本体にこのレフィール装置をセットした場合のスライド部分を示す。
【００１１】
このように構成されたレフィール装置は、次のようにして組み立てられる。まず、スライダ２２の後方から傘型パッキン２１を圧入し、先端パイプ２０をスライダ２２の前部に圧入し、これらスライダアセンブリを口金１７内にセットする。一方レフィール６の先端にチャック継ぎ手１０を圧入・固定し、しかる後チャック１１、チャックリング１２、チャックスプリング１６、スリーブ１３、スリーブ受け１４、クッションスプリング１８などの部品を取り付ける。更に、後カム筒２とベアリング３とをセットし、これらに中軸４及び嵌合筒５を取り付けて、中軸４の内部に前カム筒１及び戻しバネ１５を挿入する。更に、これら中軸アセンブリと上記芯パイプアセンブリとを組み合わせる。そして、レフィール６の後端に消しゴム受け９を圧入する。更に、口金１７をスリーブ受け１４の先端内側に螺合せしめると共にジャケット７付消しゴム８を消しゴム受け９に嵌め込み、回り止め部材１９をスリーブ受け１４の外側に嵌合せしめてレフィール装置として完成する。
【００１２】
なお、図５は、回転式にてレフィールから芯を繰り出す場合に必要なツインカム機構の斜視図であって、図５（Ａ）は、前カム筒１と後カム筒２を分解して示す図であり、図５（Ｂ）は、使用状態を示す図である。上記実施例のシャープペンシルの動作を図５と共に説明する。まず、中軸４を持って固定して、嵌合筒５を一方向に回転するとこの回転力がこれと一体の後カム筒２に伝達される。ところで、後カム筒２と前カム筒１の形状は図５（Ａ）に示される様な形状であり、かつ後カム筒２の前端に圧接・係合された前カム筒１はスリーブ受け１４の回り止め１４ｃ（図１）に対して回り止め１ｂが施されているので後カム筒２に押されるので戻しバネ１５に抗して前進せしめられる。この前カム筒１の前進に伴って前カム筒１がチャック継ぎ手１０のフランジ１０ａに当接することによってこのチャック継ぎ手１０を介してチャック１１が前進されてチャックリング１２が解除されてスライダ２２と共に芯が送り出されて筆記状態になる。
【００１３】
なお、芯及び先端パイプ２０を退没収納するためには、上記と逆の操作をすれば良い。即ち、嵌合筒５を他方向に回転させると、これと一体に回転する後カム筒２の前端に追従して前カム筒１が戻しバネ１５の後方への付勢力によって後退移動する。従って、後カム筒２の回転による前カム筒１の前進及び後退移動により、レフィール装置が関連動作して芯の送り出しが行われると共に、芯の後退収納が可能となる。即ち、嵌合筒５の回転操作過程においてチャックリング１２が口金１７に当接してチャック１１から外れるので、チャック１１が開放される。従って、この状態で芯及び先端パイプ２０の先端に指先等を押し当ててこれらを押し込むことによって収納が可能となる。
【００１４】
図６（Ａ）は、図１のレフィール装置を軸筒本体に組み込んだ回転式タイプのシャープペンシルを示し、このレフィール装置は、プラスチック製の前軸２５とこの前軸２５の後部内にブッシュ２６が嵌装されている。他方、レフィール装置後部の嵌合筒５には取付部材２７と点ビス２８によって組み立てられた後軸２９が嵌合せしめられている。更に、取付部材２７には点ビス２８によってクリップ３０が取り付けられており、点ビス２８の先端にはキャップ３１が取り付けられている。そして、前記前軸２５の先端開口からレフィール装置のおねじ部１７ａを有する口金１７が突出されており、この口金１７の外周と前軸２５の先端内周との間に先具３２が螺合されてレフィール装置が固定されている。
【００１５】
図６（Ｂ）は、図６（Ａ）のシャープペンシルの先部の拡大断面図であり、図６（Ｃ）は図６（Ａ）のＣ−Ｃ線に沿った断面図である。これらの図を用いてより詳しく述べると、前軸２５の先端部内周部には図６（Ｂ）に示す様に複数の回り止め用のリブ２５ａが形成されており、また、図６（Ｃ）に示す様にこれらのリブ２５ａはスリーブ受け１４の先端外周部に形成された凹部１４ｂと係合してレフィール装置が前軸２５に関して回り止めが施されている。その上、レフィール装置のスリーブ受け１４の周囲に嵌合せしめられた回り止め部材１９が前軸２５の内周と圧接せしめられて、回り止め機能を付与している。また、前述した通りレフィール装置の後部の嵌合筒５に形成されたいわゆるカシメによって形成された環状突条２３は前軸２５及び後軸２９と夫々ガタツキ防止の役割を果たしている。なお、このレフィール装置を組み立てるには、前軸２５内にレフィール装置を挿入して前軸２５の先端から突出せしめ、このレフィール装置の口金１７に先具３２を螺合せしめる。しかる後、レフィール装置の後部に後軸２９を嵌合せしめて完了する。
【００１６】
図７（Ａ）及び図７（Ｂ）は、図１のレフィール装置を軸筒本体に組み込んだノック式シャープペンシルを示し、このレフィール装置は、１本の金属製の長軸３３内にセットされている。この場合、長軸３３は金属製なので上記実施例の様に軸内部にリブを付けることが困難である。しかしながらこの場合にも回り止め部材１９と長軸３３の内径との嵌合とで回り止めを施せば良い。なお、このレフィール装置は、長軸３３にレフィール装置を挿入し、このレフィール装置の口金１７に先具３２を螺合せしめることによって組み立てることが出来る。
【００１７】
図８は、図１のレフィール装置を軸筒本体に組み込んだ回転式兼ノック式のシャープペンシルを示し、図６の回転式のみのタイプと比較するとレフィール装置の後端を図の様に後軸２９から突出せしめてノック部とし、クリップ３０は後軸２９の外側に一体成形で形成されている。なお組み立て手順は、図６の回転式のものと同様である。
【００１８】
図９は、この発明による回転式ボールペン用のレフィール装置の実施例を示すものであって、前カム筒１と後カム筒２とから成るツインカム機構の外周には、ベアリング３を介して前方に中軸４及び後方に嵌合筒５がそれぞれカシメ部４ａ，５ａによって取り付けられている。上記ツインカム機構内には、嵌合筒５の後端からボールペンインキが充填されたレフィール３５が挿入されている。更に、図１０は図９のレフィール装置を軸筒に組み込んで回転式繰り出しボールペンとしたものを示す図である。
【００１９】
図１１は、ノック式ボールペン用のレフィール装置の実施例を示すものであって、中軸４の後部に嵌合筒５がカシメによって一体に嵌合せしめられている。嵌合筒５の後端開口からは、レフィール３５が挿入されており、中軸４の先端に螺合せしめられた口金１７とレフィール３５の一対の係止突起３５ａとの間には戻しバネ１５が巻装されて、レフィール３５を後方に付勢している。そして、レフィール３５の後端には回転カム３６が装着されており、回転カム３６の上部にはノックカム３７が係合せしめられており、更にこのノックカム３７の上部にはノック部材３８が嵌合せしめられている。更に、図１２は、図９のレフィール装置を軸筒に組み込んでノック式ボールペンとしたものを示す図である。
【００２０】
このように構成されたレフィール装置は、軸筒本体に組み込まれる前に操作テストをなすことが可能である。即ち、ノック部材３８をノックするとノックカム３７及び回転カム３６を介してレフィール３５に力が伝達される。すると、レフィール３５が戻しバネ１５に抗して前進せしめられ、口金１７の先端から突出せしめられて筆記状態となる。なお、筆記が終了すれば、再度ノック部材３８をノックすればレフィール３５が戻しバネ１５によって後方へ移動せしめられて退没せしめられる。このレフィール装置は、容易に軸筒本体に組み込むことによってノック式ボールペンとして使用することが出来る。
【００２１】
【発明の効果】
この発明のレフィール装置及びその筆記具は、上記した通りの構成であるから、内部機構としてのレフィール装置のみで独立して操作を完全に行うことが可能であり、かつ軸筒本体との組込みが構造的に十分であるから組込み後に内部機構がガタツキ及び不必要な回転等が生じない効果がある。
【図面の簡単な説明】
【図１】  この発明の一実施例によるシャープペンシル用のレフィール装置の断面図である。
【図２】  この発明の一実施例によるシャープペンシル用のレフィール装置の正面図である。
【図３】  図２のＡ−Ａ線に沿った嵌合筒の断面図である。
【図４】  図２のＢ−Ｂ線に沿ったスリーブ受けの断面図である。
【図５】  図１のツインカム機構の動作を示す一部を省略した斜視図である。
【図６】  図２のレフィール装置を軸筒に組み込んだ回転式シャープペンシルの断面図である。
【図７】  図２のレフィール装置を軸筒に組み込んだノック式シャープペンシルの断面図である。
【図８】  図２のレフィール装置を軸筒に組み込んだ回転式兼ノック式のシャープペンシルの断面図である。
【図９】  この発明の一実施例による回転式ボールペン用のレフィール装置の断面図である。
【図１０】  図９のレフィール装置を軸筒本体に組み込んだ回転式ボールペンの断面図である。
【図１１】  この発明の一実施例によるノック式ボールペン用のレフィール装置の断面図である。
【図１２】  図１１のレフィール装置を軸筒本体に組み込んだノック式ボールペンの断面図である。
【図１３】  従来の装置を示す部分断面図である。
【符号の説明】
１  前カム筒
２  後カム筒
４  中軸
５  嵌合筒
６  レフィール
１３  スリーブ
１４  スリーブ受け
１５  戻しバネ
１７  口金
【図１】
0003638966.tif 000002
【図２】
0003638966.tif 000003
【図３】
0003638966.tif 000004
【図４】
0003638966.tif 000005
【図５】
0003638966.tif 000006
【図６】
0003638966.tif 000007
【図７】
0003638966.tif 000008
【図８】
0003638966.tif 000009
【図９】
0003638966.tif 000010
【図１０】
0003638966.tif 000011
【図１１】
0003638966.tif 000012
【図１２】
0003638966.tif 000013
【図１３】
0003638966.tif 000014